(57)【特許請求の範囲】
【請求項１】
キャピラリーの内壁面に、第１抗体と結合したオキシダーゼからなる不溶性層が形成され、
さらにその上に、ペルオキシダーゼと結合した第２抗体を含む親水性高分子の層が積層されてなり、
前記第１抗体と前記第２抗体とが、同じ抗原に対して結合可能である
イムノアッセイ用キャピラリー。
【請求項２】
前記親水性高分子が、分子量２０００〜１０万のポリエチレングリコールである請求項１に記載のイムノアッセイ用キャピラリー。
【請求項３】
前記オキシダーゼがグルコースオキシダーゼであり、前記ペルオキシダーゼがセイヨウワサビペルオキシダーゼである請求項１に記載のイムノアッセイ用キャピラリー。
【請求項４】
キャピラリーの長手方向に垂直な横断面が、正方形及び矩形を含む方形であり、その内腔の一辺が５０μｍ〜１ｍｍの長さである請求項１に記載のイムノアッセイ用キャピラリー。
【請求項５】
キャピラリーの内壁面を活性化処理し、
活性化処理された内壁面へオキシダーゼを結合させ、
前記オキシダーゼに第１抗体を結合させて不溶性層を形成し、
さらにその上に、ペルオキシダーゼと結合した第２抗体を含む親水性高分子の層を積層する
工程を含む、請求項１に記載のイムノアッセイ用キャピラリーの製造方法。
【請求項６】
キャピラリーの内壁面の活性化処理が、アミノ基、メタクリル基、カルボキシル基、イソシアネート基、エポキシ基、アルデヒド基、ＳＨ基から選択される少なくとも１つの官能基を有する化合物による活性化である請求項５に記載の方法。
【請求項７】
請求項１に記載のイムノアッセイ用キャピラリーに、前記オキシダーゼの基質と、前記ペルオキシダーゼに触媒されて検出可能になる色素と、過酸化水素捕捉剤とが添加された試料を導入する工程を含む、試料中での存在が疑われる目的タンパク質を検出するためのキャピラリーイムノアッセイ法。
【請求項８】
前記過酸化水素捕捉剤が、アスコルビン酸、グルタチオン、ヒスチジン、尿酸、遷移金属イオン、次亜塩素酸ソーダ（NaOCl）から選択される請求項７に記載のキャピラリーイムノアッセイ法。
【請求項９】
前記目的タンパク質が、癌マーカー、糖尿病マーカー、肥満マーカー、炎症マーカー、動脈硬化性疾患マーカー、腎機能マーカー、HIVマーカー及び肝炎マーカーから選択される疾患マーカーである請求項７に記載のキャピラリーイムノアッセイ法。
【請求項１０】
前記基質、色素及び過酸化水素捕捉剤が、それぞれ、10〜50ｍＭ、0.1〜1ｍＭ及び0.1〜100ｍＭの濃度になるように試料に添加される請求項７に記載のキャピラリーイムノアッセイ法。
【請求項１１】
内部に分枝状又は格子状に流路が形成され、請求項１に記載のイムノアッセイ用キャピラリーが前記流路の少なくとも一部に埋設されてなる微小流路デバイス。
【発明の詳細な説明】
【技術分野】
【０００１】
本発明は、抗原−抗体反応により、試料を毛細管力で吸い上げるだけの１ステップで高感度に目的タンパク質を検出するためのイムノアッセイ用キャピラリー及びそれを用いたキャピラリーイムノアッセイ法に関する。
【背景技術】
【０００２】
試料中に含まれる目的タンパク質を、目的タンパク質と特異的に結合できる抗体を用いて、抗原−抗体反応を利用して測定するイムノアッセイが知られている。例えば、目的タンパク質に結合し得る１次抗体が結合したマイクロタイタープレート、磁性粒子などの担体に目的タンパク質を含む試料を添加し、目的タンパク質と１次抗体とを結合させた後、同じ目的タンパク質と結合し得る２次抗体をさらに目的タンパク質と結合させ、該２次抗体に結合した標識物質を検出することによるサンドイッチイムノアッセイなどが汎用されている。【０００３】
マイクロタイタープレートや磁性粒子を担体とするイムノアッセイは、数百μｌ程度の容量での測定が行われるので、目的タンパク質に対する抗体が大量に必要となる。すなわち、高価な抗体が大量に必要となり、しかも多種類の目的タンパク質を測定することも困難になる。また、目的タンパク質と各抗体との反応時間は通常数時間を要し、しかも多段階反応であるために溶液の入れ替えや洗浄作業などが極めて煩雑であり、さらに検出の感度もあまりよくないという問題点があった。【０００４】
ガラス又はプラスチックからなるキャピラリーが流路の少なくとも一部分に埋設された微小流路デバイスが知られている（日本国特許第４０７３０２３号（特許文献１））が、このような微小流路デバイスに用いられるキャピラリーは、免疫反応に用いることができることも知られている。
このような技術を利用して、近年、内壁が一辺１００μｍ程度の角型キャピラリーの中で、抗原−抗体反応を行うキャピラリーイムノアッセイが開発されている（例えばHenares T.G.ら、Analytica Chimica Acta 589 (2007) p.173-179（非特許文献１））。この技術は、内壁面に１次抗体を結合させたキャピラリーに、抗原溶液、酵素結合２次抗体及び基質溶液を順次流通させることにより、１次抗体と２次抗体とのサンドイッチイムノアッセイにより抗原の存在を検出するものである。
このような少量の測定系を用いることにより、必要とされる抗体の量を低減することが可能となった。【０００５】
しかし、この方法では、抗原溶液及び酵素結合２次抗体を流通させた後に、未結合の抗原及び酵素結合２次抗体を洗い流す洗浄操作が必要であり、これらの洗浄操作が、キャピラリーイムノアッセイを煩雑なものとしていた。
【先行技術文献】
【特許文献】
【０００６】
【特許文献１】日本国特許第４０７３０２３号公報
【非特許文献】
【０００７】
【非特許文献１】Henares T.G.ら、Analytica Chimica Acta 589 (2007) p.173-179
【発明の概要】
【発明が解決しようとする課題】
【０００８】
本発明は、従来のキャピラリーイムノアッセイに必要であった洗浄工程を行わずに、１工程で簡便、かつ短時間にイムノアッセイを行うためのキャピラリー及び方法を提供することを課題とする。
【課題を解決するための手段】
【０００９】
本発明は、キャピラリーの内壁面に、第１抗体と結合したオキシダーゼからなる不溶性層が形成され、
さらにその上に、ペルオキシダーゼと結合した第２抗体を含む親水性高分子の層が積層されてなり、
前記第１抗体と前記第２抗体とが、同じ抗原に対して結合可能である
イムノアッセイ用キャピラリーを提供する。
本発明は、また、キャピラリーの内壁面を活性化処理し、活性化処理された内壁面へオキシダーゼを結合させ、前記オキシダーゼに第１抗体を結合させて不溶性層を形成し、さらにその上に、ペルオキシダーゼと結合した第２抗体を含む親水性高分子の層を積層する工程を含む、上記のイムノアッセイ用キャピラリーの製造方法も提供する。【００１０】
本発明は、さらに、上記のイムノアッセイ用キャピラリーに、前記オキシダーゼの基質と、前記ペルオキシダーゼに触媒されて検出可能になる色素と、過酸化水素捕捉剤とが添加された試料を導入する工程を含む、試料中での存在が疑われる目的タンパク質を検出するためのキャピラリーイムノアッセイ法も提供する。
本発明は、また、内部に分枝状又は格子状に流路が形成され、上記のイムノアッセイ用キャピラリーが前記流路の少なくとも一部に埋設されてなる微小流路デバイスも提供する。
【発明の効果】
【００１１】
本発明のイムノアッセイ用キャピラリーを用いることにより、従来のキャピラリーを用いるイムノアッセイに必要であった洗浄工程が不要になり、１工程で簡便に、かつ迅速にイムノアッセイを行うことができる。また、非常に少量の反応系を用いることにより、反応時間を短縮でき、目的タンパク質のよりよい検出感度を実現できる。
【図面の簡単な説明】
【００１２】
【図１】実施例１において、本発明のイムノアッセイ用キャピラリーを用いて目的タンパク質を検出した場合の蛍光画像及びそれから得られた蛍光強度の測定結果を示す。
【図２】図１の蛍光強度の測定結果を、目的タンパク質の濃度に対してプロットしたグラフを示す。
【図３】本発明のイムノアッセイ用キャピラリーを含む微小流路デバイスのある実施形態を示す模式図である。
【図４】実施例２において、本発明のイムノアッセイ用キャピラリーを用いてHIV-1（p24）抗原を検出した場合の蛍光強度の測定結果を、目的タンパク質の濃度に対してプロットしたグラフを示す。
【発明を実施するための形態】
【００１３】
＜イムノアッセイ用キャピラリー＞
本発明のイムノアッセイ用キャピラリーは、抗原−抗体反応に基づいて目的タンパク質を検出及び測定するためのキャピラリーである。本明細書において、「抗原−抗体反応」とは、あるタンパク質と、該タンパク質を認識して特異的に結合する抗体との結合反応のことをいう。よって、「抗原」、すなわち目的タンパク質は、抗体に特異的に結合し得るタンパク質であればよく、抗体に結合することにより免疫原性を示す物質を必ずしも意図しないことが、当業者により認識される。
【００１４】
本発明のイムノアッセイ用キャピラリー内で行われる抗原−抗体反応は、目的タンパク質に特異的に結合できる２種類の異なる抗体を用いて目的タンパク質の存在を検出する「サンドイッチ法」である。よって、本明細書における「第１抗体」及び「第２抗体」は、同じ抗原（目的タンパク質）に対して、異なる認識部位を介して結合可能である。「第１抗体」及び「第２抗体」は、それぞれオキシダーゼ又はペルオキシダーゼのいずれと結合するかにより、便宜的に「第１抗体」及び「第２抗体」というが、タンパク質のアミノ酸配列の並びとしては、どちらを「第１抗体」又は「第２抗体」に用いてもよいことが、当業者に認識される。
【００１５】
本発明のイムノアッセイ用キャピラリーを用いて検出及び測定できる目的タンパク質は、該タンパク質に対する抗体を作製することができるタンパク質であればよく、特に限定されない。目的タンパク質としては、例えば、血液、尿、髄液、細胞破砕液などの試料中に存在し得る疾患の診断の指標となり得る疾患マーカータンパク質、有用な医薬品の探索における候補化合物などが挙げられる。
疾患マーカータンパク質としては、癌マーカー（例えば癌胎児抗原(CEA)、α−フェトプロテイン(AFP)、ヒト絨毛性ゴナドトロピン(hCG)、塩基性フェトプロテイン(BFP)、扁平上皮癌関連抗原(SCC抗原)、BCA225、CA15-3、CA19-9、CA50、CA54/61、CA72-4、CA125、CA130、CA602、膵癌関連糖タンパク抗原(DUPAN-2)、KMO-1、NCC-ST-439、シアリルLex-i抗原(SLX)、サイトケラチン１９フラグメント(CYFRA)、組織ポリペプチド抗原(TPA)、免疫抑制酸性タンパク質(IAP)、前立腺特異抗原(PSA)、神経特異エノラーゼ(NSE)、フェリチン、エラスターゼ１、p53抗体、ガストリン放出ペプチド前駆体(ProGRP)、前立腺酸性ホスファターゼ(PAP)、γ−セミノプロテイン(γ-Sm)、Dpyr、ポリアミン、BJPなど）、糖尿病マーカー（例えばインスリンなど）、肥満マーカー（例えばレプチン、アディポネクチンなど）、炎症マーカー（例えばC反応性タンパク質(CRP)など）、動脈硬化性疾患マーカー（例えばホモシステインなど）、腎機能マーカー（例えばシスタチンCなど）、HIVマーカー（p24抗原）、肝炎マーカー（HBs抗原、HBs抗体、HBe抗原、HBe抗体）などが挙げられる。また、種々の疾患のマーカーとして検査対象であることが知られているIgG、IgA、IgE、IgD、IgMなどの免疫グロブリンを目的タンパク質として検出及び測定することもできる。
【００１６】
＜キャピラリー＞
本発明のキャピラリーは、イムノアッセイにより発生する光（蛍光、可視光）又は色を透過し得る材料で構成されるものが好ましい。そのような材料としては、ガラス、及びポリスチレン、ポリエチレン、ポリプロピレン、ポリエチレンテレフタレート、ポリメタクリル酸メチル（PMMA）、ポリアクリル酸メチル、ポリジメチルシロキサン（PDMS）などのプラスチックが挙げられる。
【００１７】
本発明のキャピラリーは、その横断面（長手方向に垂直な面）が方形、円形などのいずれの形状であってもよいが、イムノアッセイにより発生する光又は色の検出がより容易である点で、正方形及び矩形を含む方形であることが好ましく、正方形であることがより好ましい。
キャピラリーが方形である場合、その外形の横断面の一辺は、２００μｍ〜２ｍｍが好ましく、より好ましくは２００μｍ〜１ｍｍである。また、キャピラリーの内腔の横断面の一辺は、５０μｍ〜１ｍｍが好ましく、より好ましくは５０μｍ〜３００μｍである。
上記のキャピラリーは、市販されたものを用いることができる。例えば、外形の横断面が３００μｍ×３００μｍの正方形であり、内腔の横断面が１００μｍ×１００μｍの正方形であるガラス製キャピラリーとして、Square Flexible Fused Silica Capillary Tubing（Polymicro Technologies）が市販されている。
【００１８】
キャピラリーの長さは、測定される目的タンパク質の種類に応じて適宜選択できる。キャピラリーは、通常、１０ｃｍ〜１ｍ程度の長さで提供されるが、このような長さのキャピラリーに、以下に記載する不溶性層及び親水性高分子の層を形成した後に、所望の長さに切断してもよい。キャピラリーは、使用時には、反応容量が適切である点で、０．５〜５ｍｍ、より好ましくは０．５〜２ｍｍ程度の長さであることが好ましい。
【００１９】
＜不溶性層＞
本発明のイムノアッセイ用キャピラリーの内壁面には、第１抗体と結合したオキシダーゼからなる不溶性層が形成されている。
本明細書において「不溶性層」とは、第１抗体と結合したオキシダーゼが、水と接触してもキャピラリーの内壁面との結合が解離しない、第１抗体と結合したオキシダーゼから形成される層のことをいう。
上記の不溶性層は、イムノアッセイ用キャピラリーの内壁面の少なくとも一部分に形成されていればよく、好ましくは該内壁面の全体に形成される。
【００２０】
キャピラリーの内壁面とオキシダーゼとの結合は、共有結合である。このような共有結合の形成方法は、それ自体公知である。例えば、ガラス又はプラスチックの表面を活性化処理し、タンパク質（オキシダーゼ）のアミノ酸が有する官能基と適切な共有結合を形成させることにより行うことができる。ガラス又はプラスチックの活性化処理としては、アミノ基、メタクリル基、カルボキシル基、イソシアネート基、エポキシ基、アルデヒド基、ＳＨ基などの少なくとも１つの官能基を有する化合物による官能化が挙げられる。
【００２１】
上記のオキシダーゼは、酸素を電子受容体として基質を酸化し、過酸化水素を発生する酵素であれば、特に限定されない。オキシダーゼは、グルコースオキシダーゼ、ガラクトースオキシダーゼ、アミノ酸オキシダーゼ、グルタミン酸オキシダーゼ、乳酸オキシダーゼ、ピルビン酸オキシダーゼ、シュウ酸オキシダーゼ、アルコールオキシダーゼ、グリセロールオキシダーゼ、ヒスタミンオキシダーゼ、尿酸オキシダーゼ、キサンチンオキシダーゼ、コリンオキシダーゼ、コレステロールオキシダーゼなどが挙げられる。その基質の入手が容易であるオキシダーゼが好ましく用いられ、グルコースオキシダーゼ、アミノ酸オキシダーゼなどが好ましい。
【００２２】
上記の第１抗体は、目的タンパク質に特異的に結合できる抗体であれば、特に限定されない。抗体は、モノクローナル抗体又はポリクローナル抗体のいずれであってもよい。抗体のクラスはＩｇＧ、ＩｇＭなどのいずれであってもよい。第１抗体は、目的タンパク質に対する結合能を有していれば、抗体のフラグメントであってもよい。抗体のフラグメントとしては、Ｆａｂフラグメント、Ｆ（ａｂ’）フラグメント、Ｆ（ａｂ）2フラグメント、ｓＦｖフラグメントなどが挙げられる。
抗体は、ヒト、マウス、ウサギ、ラット、ヤギ、ヒツジ、ニワトリなどのいずれの哺乳類及び鳥類に由来するものであってもよい。また、抗体は、組換え遺伝子工学により産生されたものであってもよい。
【００２３】
第１抗体は、目的タンパク質に応じて、当該技術において公知の方法により得ることができる。例えば、第１抗体は、それ自体公知の方法を用いて作製したハイブリドーマから得ることができる。ハイブリドーマは、所望により適切なアジュバントと混合した抗原（目的タンパク質）で適切な哺乳動物（例えばマウス、ラットなど）を免疫する。そして、該動物の脾臓細胞、リンパ節細胞、Ｂリンパ球などの抗体産生細胞を、適切な哺乳動物（例えばマウス、ラットなど）由来の骨髄腫細胞と融合させることにより得ることができる。通常、抗体産生細胞と骨髄腫細胞は、同種の動物に由来する。
細胞融合は、例えば適切な培地中で抗体産生細胞と骨髄腫細胞とをポリエチレングリコールなどの存在下で融合させるＰＥＧ法などにより行うことができる。細胞融合後、ＨＡＴ培地などの選択培地でハイブリドーマを選択し、ハイブリドーマの目的タンパク質を認識する抗体を産生する能力について、常法（例えば酵素免疫測定法（ＥＩＡ））に従ってスクリーニングを行う。次いで、目的タンパク質に結合可能な抗体を産生するハイブリドーマを常法（例えば限界希釈法）に従ってクローニングし、抗体を産生するハイブリドーマが選択される。そして、得られたハイブリドーマから、抗体を得ることができる。
【００２４】
また、第１抗体は、目的タンパク質に応じて、市販されている抗体を用いることもできる。
【００２５】
第１抗体とオキシダーゼとは、直接的又は間接的に結合している。例えば、第１抗体とオキシダーゼとは、それらの間に介在する互いに特異的に結合する２種の結合性物質により結合するものであり得る。互いに特異的に結合する２種の結合性物質としては、ビオチンとストレプトアビジン又はアビジン、ハプテンと抗ハプテン抗体、ニッケルとヒスチジンタグ（(His)6タグ）、グルタチオンとグルタチオン−Ｓ−トランスフェラーゼなどが挙げられる。ハプテンと抗ハプテン抗体としては、ジニトロフェノール(DNP)と抗DNP抗体、ビオチンと抗ビオチン抗体などが挙げられる。
【００２６】
上記の２種の結合性物質は、そのいずれか一方をオキシダーゼに結合させ、他方を第１抗体に結合させることができる。結合性物質とオキシダーゼ又は第１抗体との間の結合の形成は、それ自体公知の方法（例えば、Ｎ−ヒドロキシスクインイミジル(NHS)基、マレイミド基などの反応性官能基と、アミノ酸のアミノ(NH2)基、メルカプト(SH)基などとの間の共有結合、又は遺伝子工学的手法による組換えタンパク質の発現）により行うことができる。このようにして得られる結合性物質が結合したオキシダーゼと、その対となる結合性物質が結合した第１抗体とを接触させることにより、オキシダーゼと第１抗体とを結合させることができる。
【００２７】
第１抗体は、第１抗体の抗原認識部位が遮断されないように第１抗体を配向させてオキシダーゼに結合させることが好ましい。このような結合を可能にするために、上記の結合性物質の一方は、第１抗体の抗原認識部位以外の部分、好ましくはＦｃフラグメントに結合させることが好ましい。
【００２８】
或いは、第１抗体とオキシダーゼとの間には、上記の結合性物質の代わりに、第１抗体配向物質を介在させることができる。第１抗体配向物質としては、抗体の抗原認識部位以外の部分、好ましくはＦｃフラグメントに特異的に結合できる物質が挙げられ、プロテインＡ、プロテインＧ、などが挙げられる。非特異的吸着が少ない点で、プロテインＡが好ましい。
【００２９】
第１抗体配向物質とオキシダーゼとの間の結合は、それ自体公知の方法により行うことができる。例えば、第１抗体配向物質がタンパク質である場合、第１抗体配向物質又はオキシダーゼのいずれか一方にNHS基、マレイミド基などの反応性官能基を導入し、他方のタンパク質のアミノ酸のアミノ基、メルカプト基などと共有結合を形成させることにより、第１抗体配向物質とオキシダーゼとを結合させ得る。また、アルデヒド基をオキシダーゼに導入し、該アルデヒド基と第１抗体配向物質のアミノ基、ＳＨ基との共有結合を形成させることにより、第１抗体配向物質とオキシダーゼとを結合させることもできる。
【００３０】
＜親水性高分子の層＞
本発明のキャピラリーは、上記の不溶性層の上に、ペルオキシダーゼと結合した第２抗体を含む親水性高分子の層が積層されている。
上記の親水性高分子は、水と接触して可溶化し得る高分子であれば特に限定されない。このような親水性高分子としては、ポリエチレングリコール、デキストラン、ヒドロキシエチルセルロースなどが挙げられる。
ポリエチレングリコールは、いずれの分子量のものであっても用いることができ、２００〜４００万の分子量のものが挙げられる。中でも、取り扱いが容易である点で、２０００〜１０万の分子量のものが好ましく、６０００〜５万の分子量のものがより好ましい。
【００３１】
親水性高分子の層は、親水性高分子を含む緩衝液で構成されるものが好ましい。該緩衝液は、親水性高分子の層に含まれるペルオキシダーゼ及び第２抗体に影響を与えないｐＨを維持できるものであれば特に限定されず、ｐＨ６〜９を維持できる緩衝液が挙げられる。このような緩衝液としては、リン酸緩衝生理食塩水(PBS)、Tris-HCl緩衝液、HEPES緩衝液、ホウ酸緩衝液などを用いることができる。
【００３２】
親水性高分子がポリエチレングリコールである場合、上記の緩衝液中のポリエチレングリコールの濃度は、ポリエチレングリコールを含む緩衝液が不溶性層上に保持される粘度を有することとなる範囲であればよい。そのような動粘度としては、1000〜2000ｃＳｔが好ましい。また、このような動粘度を与え得る緩衝液中のポリエチレングリコールの濃度としては、ポリエチレングリコールの分子量にもよるが、100〜300ｇ／Ｌが好ましい。
【００３３】
親水性高分子の層に含まれる第２抗体に結合したペルオキシダーゼとしては、特に限定されず、植物、動物、微生物に由来する酵素及び遺伝子工学的手法により得られた組換え酵素のいずれを用いてもよい。生化学分野で多く用いられている点で、セイヨウワサビペルオキシダーゼ(HRP)が好ましく用いられる。
【００３４】
親水性高分子の層に含まれるペルオキシダーゼと結合した第２抗体は、第１抗体が結合するのと同じ目的タンパク質に特異的に、抗原の異なる部位を介して結合するものであれば、特に限定されない。第２抗体のその他の性質及び作製方法については、第１抗体について述べたことと同じである。
【００３５】
ペルオキシダーゼと第２抗体との結合は、それ自体公知の方法により行うことができる。例えば、ペルオキシダーゼをNHS基、マレイミド基などの反応性官能基で修飾し、これを第２抗体のアミノ酸のアミノ(NH2)基、メルカプト(SH)基などと反応させることにより、ペルオキシダーゼを第２抗体に結合させることができる。
特に、HRPが結合した抗体は、市販で入手可能である場合が多く、そのような市販のHRP標識抗体を本発明において第２抗体として用いることができる。
【００３６】
＜イムノアッセイ用キャピラリーの製造方法＞
本発明のイムノアッセイ用キャピラリーは、それ自体公知の方法を用いて作製できる。すなわち、イムノアッセイ用キャピラリーは、（１）キャピラリーの内壁面を活性化処理し、（２）活性化処理された内壁面へオキシダーゼを結合させ、（３）オキシダーゼに第１抗体を結合させて不溶性層を形成し、（４）さらに、形成された不溶性層の上に、ペルオキシダーゼと結合した第２抗体を含む親水性高分子の層を積層する工程を含む方法により得ることができる。これらの各工程の間には、適切な緩衝液を用いる洗浄工程を含み得る。
【００３７】
（１）キャピラリーの内壁面の活性化処理
キャピラリーの内壁面は、それ自体公知の方法に従って、上記のような官能基を有する化合物により活性化処理できる。
キャピラリー内壁面をアルデヒド基で活性化処理する場合、シランカップリング剤でキャピラリーの内壁面を処理し、乾燥させてアミノ基を導入し、このアミノ基をグルタルアルデヒドなどのアルデヒド基含有化合物と反応させてアルデヒド基を導入することにより、キャピラリーの内壁面を活性化処理できる。
シランカップリング剤としては、γ−アミノプロピルトリメトキシシラン、３−アミノプロピルトリエトキシシランなどのアミノアルコキシシラン、３−グリシドキシプロピルトリメトキシシランなどのエポキシシラン、３−トリメトキシシリルプロピルメタクリレートなどのメタクリルシラン、(クロロメチル)トリエトキシシランなどのクロロアルキルシランなどが挙げられる。
なお、アルデヒド基で活性化処理されたキャピラリーの内壁面を、ポリエチレンイミン及びアルデヒド基含有化合物でさらに処理することにより、次の工程におけるオキシダーゼの結合効率を向上させることができる。
また、キャピラリー内壁面をエポキシ基で活性化処理する場合、シランカップリング剤でキャピラリーの内壁面を処理し、乾燥させてエポキシ基を導入することにより、キャピラリーの内壁面を活性化処理できる。
【００３８】
（２）活性化処理された内壁面へのオキシダーゼの結合
（１）の工程により活性化処理されたキャピラリーに、オキシダーゼを含む水溶液を導入し、適切な時間反応させることにより、キャピラリーの内壁面に共有結合を介してオキシダーゼを結合させることができる。
オキシダーゼを含む水溶液は、ｐＨが8〜9であることが好ましい。このようなｐＨとするために、適切な緩衝剤を用い得る。
水溶液中のオキシダーゼの濃度は、好ましくは3〜5ｍｇ／ｍＬである。
オキシダーゼを含む水溶液は、３０分〜２時間程度、２５℃〜４０℃の温度で反応させることが好ましい。
【００３９】
（３）オキシダーゼへの第１抗体の結合
（２）により得られたキャピラリーに、第１抗体を含む水溶液を導入して、適切な時間反応させることにより、オキシダーゼに第１抗体を結合させて、不溶性層を形成することができる。上記の第１抗体配向物質を用いる場合、第１抗体配向物質をオキシダーゼと結合させるための修飾剤をキャピラリーに導入し、次いで第１抗体配向物質を導入し、さらに第１抗体を導入することにより、オキシダーゼに第１抗体を結合させ得る。
第１抗体を含む水溶液は、ｐＨが7〜7.4であることが好ましい。このようなｐＨとするために、適切な緩衝剤を用い得る。
水溶液中の第１抗体の濃度は、好ましくは10〜100μｇ／ｍＬである。
第１抗体を含む水溶液は、第１抗体配向物質としてプロテインＡを用いる場合、プロテインＡをオキシダーゼと結合させた後に、３０分〜２時間程度、２５℃〜４０℃の温度で反応させることが好ましい。
【００４０】
第１抗体を導入した後に、非特異的なタンパク質の吸着を抑制するために、ウシ血清アルブミン(BSA)、スキムミルクなどを導入して、コーティングを行い得る。
【００４１】
（４）親水性高分子の層の形成
（３）の工程に続いて、キャピラリーに、ペルオキシダーゼと結合した第２抗体を溶解した親水性高分子を連続的に導入することにより、親水性高分子の層を、キャピラリーの内壁面に形成された不溶性層の上に積層できる。
親水性高分子は、上記の適切な粘度を有するように上記の適切な緩衝液に溶解したものであってもよい。
親水性高分子中のペルオキシダーゼと結合した第２抗体の濃度は、好ましくは10〜100μｇ／ｍＬである。
親水性高分子をキャピラリーに連続的に導入する速度としては、数十μｌ／分であることが好ましく、この範囲であれば、親水性高分子の層が良好に形成できる。
【００４２】
このようにして製造したイムノアッセイ用キャピラリーは、使用時まで冷却して（−２０〜１０℃）保存できる。
【００４３】
＜キャピラリーイムノアッセイ法＞
本発明は、上記のイムノアッセイ用キャピラリーを用いて、試料中での存在が疑われる目的タンパク質を検出することを含むキャピラリーイムノアッセイ法も提供する。
上記の試料は、目的タンパク質の存在が疑われる試料であれば特に限定されない。試料としては、血液、尿、髄液などの生体試料に由来する液体、細胞破砕液、水溶液などが挙げられる。
【００４４】
本発明のイムノアッセイ法は、上記のイムノアッセイ用キャピラリーに試料を導入することにより行うことができる。試料の導入は、試料とキャピラリーの一端（試料導入口）とを接触させることにより、毛管現象により行うことができる。
キャピラリーに導入される試料は、キャピラリーの大きさにもよるが、通常、0.05〜0.1μｌ程度である。
【００４５】
導入された試料は、５分〜１時間、より好ましくは１０〜３０分間、２０〜４０℃、より好ましくは２５〜３８℃の温度でキャピラリー中に保持して反応させることが好ましい。
【００４６】
上記の試料には、上記のオキシダーゼの基質と、ペルオキシダーゼにより触媒されて検出可能になる色素と、過酸化水素捕捉剤とが添加される。
オキシダーゼの基質は、用いられるオキシダーゼの種類により適宜選択される。
オキシダーゼの基質は、その種類にもよるが、通常、10〜50ｍＭの濃度になるように試料に添加されるのが好ましい。
【００４７】
ペルオキシダーゼにより触媒されて検出可能になる色素は、蛍光色素、発色色素及び化学発光色素のいずれであってもよい。発色色素としては、3,3'-ジアミノベンジジン(DAB)、3,3',5,5'-テトラメチルベンジジン(TMB)、3-アミノ-9-エチルカルバゾール(AEC)、メチルグリーン、N-エチル-m-トルイジン誘導体（例えばN-ヒドロキシスルホプロピル誘導体（TOOS））と4-アミノアンチピリン（4-AA）の組み合わせなどが挙げられる。蛍光色素としては、10-アセチル-3,7-ジヒドロキシフェノキサジン(Amplex Red)、p-ヒドロキシフェニル酢酸、チアミンなどが挙げられる。化学発光色素としては、ルミノールなどが挙げられる。
【００４８】
ペルオキシダーゼに触媒されて検出可能になる色素は、その種類にもよるが、通常、0.1〜1ｍＭになるように試料中に添加されるのが好ましい。
【００４９】
過酸化水素捕捉剤は、過酸化水素と反応して過酸化水素を水に分解可能な物質であれば特に限定されず、アスコルビン酸、グルタチオン、ヒスチジン、尿酸、遷移金属イオン（Fe2+, Ti3+, Co2+など）、次亜塩素酸ソーダ（NaOCl）などが挙げられる。
過酸化水素捕捉剤は、その種類にもよるが0.1〜100ｍＭ、より好ましくは1〜10ｍＭになるように試料中に添加されるのが好ましい。
【００５０】
本発明のキャピラリーイムノアッセイ法の原理を、説明する。イムノアッセイ用キャピラリーに試料が導入されると、目的タンパク質が存在する場合、目的タンパク質を介して第１抗体と２次抗体とがキャピラリーの内壁面付近で複合体を形成する。この際、試料中に添加されたオキシダーゼの基質が、第１抗体が結合しているオキシダーゼにより酸化されて過酸化水素が発生する。この過酸化水素は、目的タンパク質を介して第１抗体に結合している第２抗体に結合しているペルオキシダーゼとともに、試料中に添加された上記の色素を検出可能な形に変換する。よって、抗原の存在が１ステップで検出可能になる。
【００５１】
一方、目的タンパク質が存在しない場合、第１抗体と第２抗体は結合できないので、これらはキャピラリーの内腔で離れて存在する。ここで、内壁面に存在するオキシダーゼは、試料中に添加された基質から過酸化水素を発生させるが、この過酸化水素は、遠く離れて存在する第２抗体に結合しているペルオキシダーゼに利用されることなく、試料中に添加された過酸化水素捕捉剤に捕捉され、水に分解される。よって、試料中に添加された色素は、検出可能な形に変換されない。
【００５２】
上記の色素は、検出可能な形に変換されると、キャピラリーの外側から、用いられる色素の種類に応じた検出装置を用いて検出できる。検出装置は、上記の色素が蛍光色素である場合、適切な励起光源を有する蛍光顕微鏡、蛍光光度計、ＣＣＤカメラ、フォトダイオード、光電子増倍管であり得る。検出装置は、上記の色素が発色色素である場合、分光光度計、ＣＣＤカメラ、フォトダイオード、光電子増倍管であり得る。検出装置は、上記の色素が化学発光色素である場合、ＣＣＤカメラ、フォトダイオード、光電子増倍管であり得る。
これらの検出装置は、色素からの検出されたシグナルを数値化できるソフトウェアを有する解析装置に接続されていることが好ましい。
【００５３】
本発明のキャピラリーイムノアッセイ法は、抗原−抗体反応と、酵素反応との２種類の反応に基づく。抗原−抗体反応は、分子量が非常に大きいタンパク質同士の反応であるので、通常は非常に遅い反応である（通常、数時間）。しかし、本発明のキャピラリーイムノアッセイ法は、容量が非常に少ない（通常、数十〜数百ｎｌ）キャピラリー内で行われる反応であるので、分子が拡散する距離が短く、抗原−抗体反応は、比較的迅速に進行する（約10〜20分程度）。
一方、酵素反応は、通常、非常に迅速に進行する反応である（通常、数十秒〜数分）。しかし、本発明のキャピラリーイムノアッセイ法においては、試料に過酸化水素捕捉剤が適切な量で添加されているので、酵素反応が比較的ゆっくりと進行する（約10〜20分程度）。
よって、これらの２種類の反応の反応速度の均衡を好ましい範囲に保つことが可能になり、本発明のイムノアッセイ法は、毛細管力で試料溶液を吸い上げるだけの１工程で、従来のイムノアッセイよりも短い反応時間で、少量の試料を用いて、１ｎｇ／ｍｌ程度までの低い濃度の目的タンパク質の検出を可能にできる。
【００５４】
＜イムノアッセイ用キャピラリーを含む微小流路デバイス＞
本発明は、内部に分枝状又は格子状に貫通状流路が形成され、上記のイムノアッセイ用キャピラリーが該流路の少なくとも一部に埋設されてなる微小流路デバイスも提供する。
微小流路デバイスの流路の形状、材料、製造方法などについては、特開２００５−１４０６８１号公報に記載されることと同様である。
【００５５】
本発明の微小流路デバイスの好ましい形態の例を、図３に示す。図３は、幅３００μｍの流路が形成された微量流路デバイス１を示す。この微小流路デバイスの一部に、AFPと結合可能な第１抗体及び第２抗体を有するイムノアッセイ用キャピラリー２、CEAと結合可能な第１抗体及び第２抗体を有するイムノアッセイ用キャピラリー３、hCGと結合可能な第１抗体及び第２抗体を有するイムノアッセイ用キャピラリー４がそれぞれ埋設されてなる。微小流路デバイスの試料滴下口５に試料を滴下し、試料吸引口６から試料を吸引することにより、各イムノアッセイ用キャピラリーに試料を毛細管力で導入することができる。そして、各イムノアッセイ用キャピラリーのある地点（例えば点線部）での蛍光強度を測定することにより、AFP、CEA及びhCGの検出を１ステップで行うことができる。
【実施例】
【００５６】
製造例１  イムノアッセイ用キャピラリーの作製
Ａ．角型キャピラリーの表面修飾
１．内腔の一辺が１００μｍで、外形の一辺が３００μｍの角型キャピラリー（Polymicro technologies社製、WWP100375）に1 N NaOHを導入し、30分間静置した。
２．十分な量の純水を通して洗浄後、アセトンを導入して水分を除去した。
３．キャピラリーを70℃のオーブンに入れて、30分乾燥させた。
４．30%(v/v)の3-アミノプロピルトリエトキシシラン(APTES)のアセトン溶液をキャピラリーに導入して、室温にて40分静置した。
５．アセトンで洗浄後、70℃のオーブンに入れて、60分乾燥させた。
６．2.5% (v/v)グルタルアルデヒド水溶液を導入して、室温にて40分間反応させた。
７．純水でキャピラリー内を洗浄した。
８．5%ポリエチレンイミン(v/v)水溶液（リン酸緩衝液 pH9）を導入し、室温にて40分間反応させ、アミノ基を多数有するポリエチレンイミンを、キャピラリーの内壁面に固定した。
９．リン酸緩衝液pH9でキャピラリー内を洗浄した。
１０．2.5% (v/v)グルタルアルデヒド水溶液をキャピラリーに導入し、40分間反応させた。
１１．リン酸緩衝液pH9でキャピラリー内を洗浄した。【００５７】
Ｂ．キャピラリー内壁面への第１抗体と結合したオキシダーゼからなる不溶性層の形成
１．グルコースオキシダーゼ(5 mg/mL；Sigma G7141)水溶液（リン酸緩衝液pH9）を、上記のＡ．のようにして作製した、内壁面がグルタルアルデヒドで修飾されたキャピラリーに導入し、室温にて40分間反応させた。
２．リン酸緩衝液pH9でキャピラリー内を洗浄した。
３．2.5% (v/v)グルタルアルデヒド水溶液を導入し、室温にて40分間反応させた。
４．リン酸緩衝液pH9でキャピラリー内を洗浄した。
５．プロテインＡ（0.5 mg/mL；Sigma P6031)水溶液（リン酸緩衝液 pH9）を、キャピラリー内に導入し、室温にて40分間反応させて、アルデヒド基で修飾されたグルコースオキシダーゼにプロテインＡを結合させた。
６．キャピラリー内を純水で洗浄した。
７．0.1 M NaBH4水溶液をキャピラリー内に導入し、室温にて40分間反応させた。
８．キャピラリー内を純水で洗浄後、Tris-HCl緩衝液pH7.4で洗浄した。
９．第１抗体として、Tris-HCl緩衝液pH7.4で100倍に希釈した抗ヒトＩｇＧ（フナコシ, Ｅ８０−１０４  Human ELISA quantitation kit）をキャピラリー内に導入し、室温にて40分間反応させて、プロテインＡに第１抗体を結合させた。
１０．トリス緩衝液pH7.4でキャピラリー内を洗浄した。
１１．1%ウシ血清アルブミン（BSA）のトリス緩衝液pH7.4溶液をキャピラリー内に導入し、室温にて2時間以上静置することにより、キャピラリーの内壁面の非特異吸着抑制コーティングを行った。
１２．トリス緩衝液pH7.4でキャピラリー内を洗浄した。【００５８】
Ｃ．ペルオキシダーゼと結合した第２抗体を含む親水性高分子の層の形成
１．第２抗体として、セイヨウワサビペルオキシダーゼ(HRP)標識抗ヒトIgG（フナコシ, Ｅ８０−１０４  Human ELISA quantitation kit）を、300mg/mL になるようにポリエチレングリコール(PEG；分子量20000)を溶解させたTris-HCl緩衝液pH7.4で100倍に希釈した。この溶液を、キャピラリーに20μL/分の速度で導入した直後に、30μL/分の速度で吸引し、第１抗体と結合したグルコースオキシダーゼからなる不溶性層の上に、ペルオキシダーゼと結合した第２抗体を含むポリエチレングリコールの層を積層した。
２．このイムノアッセイ用キャピラリーは、すぐに使用しない場合は-10℃で保存できる。【００５９】
実施例１
Tris-HCl緩衝液pH9に、以下の成分を溶解して、試料溶液を調製した。
ペルオキシダーゼにより触媒されて検出可能になる色素：
0.8 mM Amplex Red (Invitrogen社  A36006)；
オキシダーゼの基質：28 mMグルコース；
過酸化水素捕捉剤：10 mMアスコルビン酸；
目的タンパク質：ヒトIgG (0、0.1、1、10、1000及び5000 ng/mL；フナコシ, Ｅ８０−１０４  Human ELISA quantitation kit)。【００６０】
この試料溶液を、5ｍｍに切断した上記の製造例１のようにして作製したイムノアッセイ用キャピラリーに接触させると、毛細管力で試料溶液（0.05μｌ）がキャピラリー内に導入された。試料溶液がキャピラリー内に導入された状態で、室温にて30分間静置した。【００６１】
蛍光顕微鏡（キーエンスVB7000）の対物レンズの下に、目的タンパク質を導入して反応させたイムノアッセイ用キャピラリーを置き、水銀ランプの光源（励起フィルター波長 540/25 nm、吸収フィルター波長 572 nm）にて、蛍光画像を取得した。
その後、そのデジタル画像を、Image-J(米国国立衛生研究所（NIH）が頒布するフリーソフトウェア：参照URL http://rsbweb.nih.gov/ij/)などのソフトウェアで解析し、蛍光信号を定量化した。【００６２】
得られた蛍光画像を図１（Ａ）に示す。また、キャピラリーの試料溶液導入口から約2.5ｍｍの点（図１（Ａ）の点線部分）で測定した蛍光信号を、図１（Ｂ）に示す。
さらに、抗原濃度ゼロの信号をバックグラウンド信号とした、各抗原濃度における蛍光強度（ΔＦ）を、目的タンパク質の濃度の対数に対してプロットしたグラフを、図２に示す。
これらの結果から、本発明のイムノアッセイ用キャピラリーを用いて測定することにより、目的タンパク質の濃度にほぼ比例して、蛍光強度が増加する結果が得られたことがわかる。【００６３】
よって、本発明のイムノアッセイ用キャピラリーを用いて、洗浄工程を必要とすることなく、１工程で簡便に、比較的短時間で、かつ少量の試料溶液を用いてイムノアッセイにより目的タンパク質を検出及び定量できることが確認できた。【００６４】
製造例２  HIV抗原測定用イムノアッセイ用キャピラリーの作製
Ａ．角型キャピラリーの表面修飾
製造例１のＡと同様の手順で角型キャピラリーの内表面を修飾した。【００６５】
Ｂ．キャピラリー内壁面への第１抗体と結合したオキシダーゼからなる不溶性層の形成
１．グルコースオキシダーゼ(5 mg/mL；Sigma G7141)水溶液（リン酸緩衝液pH9）を、上記のＡ．のようにして作製した、内壁面がグルタルアルデヒドで修飾されたキャピラリーに導入し、室温にて40分間反応させた。
２．リン酸緩衝液pH9でキャピラリー内を洗浄した。
３．2.5% (v/v)グルタルアルデヒド水溶液を導入し、室温にて40分間反応させた。
４．リン酸緩衝液pH9でキャピラリー内を洗浄した。
５．抗HIV-1(p24)抗体（0.5 mg/mL；Anogen MO-140002D2)水溶液（リン酸緩衝液 pH9）を、キャピラリー内に導入し、室温にて40分間反応させて、アルデヒド基で修飾されたグルコースオキシダーゼに抗HIV-1(p24)抗体を結合させた。
６．キャピラリー内を純水で洗浄した。
７．0.1 M NaBH4水溶液をキャピラリー内に導入し、室温にて40分間反応させた。
８．トリス緩衝液pH7.4でキャピラリー内を洗浄した。
９．1%ウシ血清アルブミン（BSA）のトリス緩衝液pH7.4溶液をキャピラリー内に導入し、室温にて2時間以上静置することにより、キャピラリーの内壁面の非特異吸着抑制コーティングを行った。
１２．トリス緩衝液pH7.4でキャピラリー内を洗浄した。【００６６】
Ｃ．ペルオキシダーゼと結合した第２抗体を含む親水性高分子の層の形成
１．第２抗体として、セイヨウワサビペルオキシダーゼ(HRP)標識抗HIV-1(p24)抗体（Anogen MO-140002T2HRP）を、300mg/mL になるようにポリエチレングリコール(PEG；分子量20000)を溶解させたTris-HCl緩衝液pH7.4で100倍に希釈した。この溶液を、キャピラリーに20μL/分の速度で導入した直後に、30μL/分の速度で吸引し、第１抗体と結合したグルコースオキシダーゼからなる不溶性層の上に、ペルオキシダーゼと結合した第２抗体を含むポリエチレングリコールの層を積層した。
２．このイムノアッセイ用キャピラリーは、すぐに使用しない場合は-10℃で保存できる。【００６７】
実施例２
Tris-HCl緩衝液pH9に、以下の成分を溶解して、試料溶液を調製した。
ペルオキシダーゼにより触媒されて検出可能になる色素：
0.8 mM Amplex Red (Invitrogen社  A36006)；
オキシダーゼの基質：28 mMグルコース；
過酸化水素捕捉剤：10 mMアスコルビン酸；
目的タンパク質：HIV-1 p24 Antigen (0、0.1、1、10、100及び1000 ng/mL；Biodesign International, R18301)。【００６８】
この試料溶液を、5ｍｍに切断した上記の製造例２のようにして作製したイムノアッセイ用キャピラリーに接触させると、毛細管力で試料溶液（0.05μｌ）がキャピラリー内に導入された。試料溶液がキャピラリー内に導入された状態で、室温にて30分間静置した。【００６９】
蛍光顕微鏡（キーエンスVB7000）の対物レンズの下に、目的タンパク質を導入して反応させたイムノアッセイ用キャピラリーを置き、水銀ランプの光源（励起フィルター波長 540/25 nm、吸収フィルター波長 572 nm）にて、蛍光画像を取得した。
その後、そのデジタル画像を、Image-J(米国国立衛生研究所（NIH）が頒布するフリーソフトウェア：参照URL  http://rsbweb.nih.gov/ij/)などのソフトウェアで解析し、蛍光信号を定量化した。【００７０】
抗原濃度ゼロの信号をバックグラウンド信号とした、各抗原濃度における蛍光強度（ΔＦ）を、目的タンパク質の濃度の対数に対してプロットしたグラフを、図４に示す。ここでは、非特異的な応答を調べるために、目的タンパク質としてのHIV-1抗原(◆)の代わりにヒトIgG(■)及びウサギIgG(▲)をキャピラリーに導入して測定した結果についても合わせて示す。
これらの結果から、本発明のイムノアッセイ用キャピラリーを用いて測定することにより、HIV抗原の濃度に応じて、蛍光強度が増加する結果が得られたことがわかる。また、本発明のキャピラリーは、キャピラリー内に導入されている抗体に対する抗原を特異的に測定でき、該抗体と特異的には反応しない抗原に対しては、用量応答反応性がないこともわかる。【００７１】
よって、本発明のイムノアッセイ用キャピラリーを用いて、洗浄工程を必要とすることなく、１工程で簡便に、比較的短時間で、かつ少量の試料溶液を用いてイムノアッセイによりHIV抗原を検出及び定量できることが確認できた。【００７２】
本発明は、２００８年１２月１９日に出願された日本国特許出願特願２００８−３２４０５９号に関し、この特許請求の範囲、明細書、図面及び要約書の全ては本明細書中に参照として組み込まれる。
【符号の説明】
【００７３】
１  微量流路デバイス
２、３、４  本発明のイムノアッセイ用キャピラリー
５  試料滴下口
６  試料吸引口
【図１】
0005472869.tif 000002
【図２】
0005472869.tif 000003
【図３】
0005472869.tif 000004
【図４】
0005472869.tif 000005